(57)【要約】【課題】直前の取引だけに限られず複数取引前における再出金処理を行うことを可能にすることで再出金処理を柔軟に行い得る釣銭機を提供すること。【解決手段】投入された貨幣を金種毎に鑑別して計数した後に金種毎に収納庫に収納するとともに、出金指令が与えられた場合に出金指令に応じた貨幣を収納庫から機外に払い出す釣銭機１０において、貨幣の入出金に関する履歴情報の集合体であるログ情報を記憶するメモリ１０２と、履歴表示指令が与えられた場合に、メモリ１０２に記憶されるログ情報を表示手段２０に表示させ、かつ表示手段２０に表示させたログ情報のうち選択された履歴情報について再出金指令が与えられたときに、履歴情報の出金額の全部、あるいは一部に相当する貨幣を収納庫から機外に払い出させる制御部１００とを備えたものである。【選択図】図２
2014178728.tif 000002
【特許請求の範囲】
【請求項１】
投入された貨幣を金種毎に鑑別して計数した後に金種毎に収納庫に収納するとともに、出金指令が与えられた場合に該出金指令に応じた貨幣を前記収納庫から機外に払い出す釣銭機において、
前記貨幣の入出金に関する履歴情報の集合体であるログ情報を記憶する記憶手段と、
履歴表示指令が与えられた場合に、前記記憶手段に記憶されるログ情報を表示部に表示させ、かつ前記表示部に表示させたログ情報のうち選択された履歴情報について再出金指令が与えられたときに、該履歴情報の出金額の全部、あるいは一部に相当する貨幣を前記収納庫から機外に払い出させる制御手段と
を備えたことを特徴とする釣銭機。
【請求項２】
前記制御手段は、前記再出金指令が与えられた履歴情報と、再出金により生じた履歴情報とを関連付けてログ情報として前記記憶手段に記憶させることを特徴とする請求項１に記載の釣銭機。
【請求項３】
所定の貨幣が機外に払い出されない出金異常状態又は所定の貨幣が機外に払い出されることが拒否される出金拒否状態が発生した場合において、
前記制御手段は、前記出金異常状態又は前記出金拒否状態が解消した旨の指令が与えられ、かつ前記出金異常状態又は前記出金拒否状態が発生した際の履歴情報が選択されて前記再出金指令が与えられたときに、該履歴情報の出金額から機外に払い出されたと検出された貨幣の額を減算した額の貨幣を機外に払い出させることを特徴とする請求項１又は請求項２に記載の釣銭機。
【請求項４】
投入された紙幣を金種毎に鑑別して計数した後に金種毎に紙幣収納庫に収納する一方、紙幣出金指令が与えられた場合に、該紙幣出金指令に応じた紙幣を機外に払い出す紙幣処理部と、
投入された硬貨を金種毎に鑑別して計数した後に金種毎に硬貨収納庫に収納する一方、硬貨出金指令が与えられた場合に、該硬貨出金指令に応じた硬貨を機外に払い出す硬貨処理部と
を備え、
前記制御手段は、紙幣若しくは硬貨が機外に払い出されない出金異常状態又は紙幣若しくは硬貨が機外に払い出されることが拒否される出金拒否状態が発生した場合において、前記出金異常状態又は前記出金拒否状態が解消した旨の指令が与えられ、かつ前記出金異常状態又は前記出金拒否状態が発生した際の履歴情報が選択されて前記再出金指令が与えられたときに、前記出金異常状態又は前記出金拒否状態となった貨幣を機外に払い出させることを特徴とする請求項１又は請求項２に記載の釣銭機。
【請求項５】
前記制御手段は、前記出金異常状態又は前記出金拒否状態が解消した旨の指令が与えられ、かつ前記再出金指令が与えられた場合に、前記出金異常状態又は前記出金拒否状態が発生した際の履歴情報が選択されて再出金指令が与えられたものとして貨幣を機外に払い出させることを特徴とする請求項３又は請求項４に記載の釣銭機。
【請求項６】
前記制御手段は、前記出金異常状態又は前記出金拒否状態が解消した旨の指令が与えられた場合に、前記出金異常状態又は前記出金拒否状態が発生した際の履歴情報が選択されて再出金指令が与えられたものとして貨幣を機外に払い出させることを特徴とする請求項３又は請求項４に記載の釣銭機。
【請求項７】
前記制御手段は、上位機器から再出金指令が与えられたときに貨幣を機外に払い出させることを特徴とする請求項１〜５のいずれか１つに記載の釣銭機。
【請求項８】
前記制御手段は、予め設定された条件を具備する場合に、前記再出金指令を有効なものと判断することを特徴とする請求項１〜５のいずれか１つに記載の釣銭機。
【発明の詳細な説明】
【技術分野】
【０００１】
本発明は、釣銭機に関するものである。
【背景技術】
【０００２】
スーパーマーケット等の店舗で適用される釣銭機は、その上位機器であるレジスタ装置に接続されている。レジスタ装置は、客の購入した商品を順次登録してその合計金額を算出するものである。登録する商品個々の代金は、例えば商品に添付されたバーコードで読み取られて入力されたり、商品に添付された値札を読んでテンキーを通じて入力されたりする。すべての商品の登録が終了した時点で、小計等のキー入力が行われると、レジスタ装置から釣銭機に対して入金を許可するための入金動作許可指令が与えられる。
【０００３】
入金動作許可指令が与えられた釣銭機では、投入口から投入された貨幣が貨幣識別手段へ搬送され、その金種が貨幣識別手段で識別された後、金種毎に設けられた貨幣収納庫に収納される。貨幣識別手段で識別された貨幣の情報は、レジスタ装置に通知される。
【０００４】
すべての貨幣の投入が終了した後、レジスタ装置から合計等のキー入力が行われると、レジスタ装置から釣銭機に対して入金を禁止するための入金動作禁止指令が与えられ、以降、投入口から貨幣識別手段への貨幣の搬送が停止することになり、釣銭機に投入された貨幣の合計金額が確定する。その後、レジスタ装置においては、通知された貨幣の情報に基づいて投入された貨幣の合計金額が算出され、その算出結果と客の購入した商品の合計金額との比較が行われる。投入された貨幣の合計金額が多い場合には、レジスタ装置から釣銭機に対してその差額を釣銭として払い出すように出金指令が与えられる。釣銭を払い出すように指令が与えられた釣銭機では、該当する貨幣収納庫から釣銭となる貨幣を出金口に払い出す出金処理が行われる。
【０００５】
このような釣銭機においては、何らかの不具合により差額に相当する貨幣が払い出されない場合にはエラー表示を行うようにし、その後に不具合が解消したときに直前の取引における釣銭に相当する貨幣を払い出す再出金処理を行うようにしたものが知られている（例えば、特許文献１参照）。
【先行技術文献】
【特許文献】
【０００６】
【特許文献１】特開２００１−４３４４８号公報
【発明の概要】
【発明が解決しようとする課題】
【０００７】
ところで、釣銭機は、出金処理において不具合が発生したものと認識しない場合、すなわち出金処理が正常に行われたものと判断した場合には、エラー表示を行わずにレジスタ装置から次の客との取引における入金動作許可指令を受け付けてしまうことになる。
【０００８】
そのため、複数取引前の客から本来受け取るべきはずの釣銭（本来の釣銭）を受け取っていないと主張された場合、上記釣銭機では直前の取引における再出金処理しか行えないため、結果的に当該客に対して再出金処理を行うことは困難であった。
【０００９】
このような複数取引前の客から本来の釣銭を受け取っていないと主張されるケースとしては、次のような場合が考えられる。すなわち、当該客に対する釣銭が紙幣と硬貨とであって、当該客が紙幣のみを受け取ってその場を立ち去ってしまい、悪意のある第三者が出金口にある硬貨を持ち出した場合である。この場合、釣銭機としては、出金処理が正常に行われたものと判断し、レジスタ装置からの入金動作許可指令を受け付けてしまう。その結果、当該客が本来の釣銭を受け取っていないと気づいて釣銭機の近くに戻ってきても、釣銭機としては当該客が複数取引前の者となってしまう。
【００１０】
本発明は、上記実情に鑑みてなされたものであって、直前の取引だけに限られず複数取引前における再出金処理を行うことを可能にすることで再出金処理を柔軟に行い得る釣銭機を提供することを目的とする。
【課題を解決するための手段】
【００１１】
上記目的を達成するために、本発明の請求項１に係る釣銭機は、投入された貨幣を金種毎に鑑別して計数した後に金種毎に収納庫に収納するとともに、出金指令が与えられた場合に該出金指令に応じた貨幣を前記収納庫から機外に払い出す釣銭機において、前記貨幣の入出金に関する履歴情報の集合体であるログ情報を記憶する記憶手段と、履歴表示指令が与えられた場合に、前記記憶手段に記憶されるログ情報を表示部に表示させ、かつ前記表示部に表示させたログ情報のうち選択された履歴情報について再出金指令が与えられたときに、該履歴情報の出金額の全部、あるいは一部に相当する貨幣を前記収納庫から機外に払い出させる制御手段とを備えたことを特徴とする。
【００１２】
また、本発明の請求項２に係る釣銭機は、上述した請求項１において、前記制御手段は、前記再出金指令が与えられた履歴情報と、再出金により生じた履歴情報とを関連付けてログ情報として前記記憶手段に記憶させることを特徴とする。
【００１３】
また、本発明の請求項３に係る釣銭機は、上述した請求項１又は請求項２において、所定の貨幣が機外に払い出されない出金異常状態又は所定の貨幣が機外に払い出されることが拒否される出金拒否状態が発生した場合において、前記制御手段は、前記出金異常状態又は前記出金拒否状態が解消した旨の指令が与えられ、かつ前記出金異常状態又は前記出金拒否状態が発生した際の履歴情報が選択されて前記再出金指令が与えられたときに、該履歴情報の出金額から機外に払い出されたと検出された貨幣の額を減算した額の貨幣を機外に払い出させることを特徴とする。
【００１４】
また、本発明の請求項４に係る釣銭機は、上述した請求項１又は請求項２において、投入された紙幣を金種毎に鑑別して計数した後に金種毎に紙幣収納庫に収納する一方、紙幣出金指令が与えられた場合に、該紙幣出金指令に応じた紙幣を機外に払い出す紙幣処理部と、投入された硬貨を金種毎に鑑別して計数した後に金種毎に硬貨収納庫に収納する一方、硬貨出金指令が与えられた場合に、該硬貨出金指令に応じた硬貨を機外に払い出す硬貨処理部とを備え、前記制御手段は、紙幣若しくは硬貨が機外に払い出されない出金異常状態又は紙幣若しくは硬貨が機外に払い出されることが拒否される出金拒否状態が発生した場合において、前記出金異常状態又は前記出金拒否状態が解消した旨の指令が与えられ、かつ前記出金異常状態又は前記出金拒否状態が発生した際の履歴情報が選択されて前記再出金指令が与えられたときに、前記出金異常状態又は前記出金拒否状態となった貨幣を機外に払い出させることを特徴とする。
【００１５】
また、本発明の請求項５に係る釣銭機は、上述した請求項３又は請求項４において、前記制御手段は、前記出金異常状態又は前記出金拒否状態が解消した旨の指令が与えられ、かつ前記再出金指令が与えられた場合に、前記出金異常状態又は前記出金拒否状態が発生した際の履歴情報が選択されて再出金指令が与えられたものとして貨幣を機外に払い出させることを特徴とする。
【００１６】
また、本発明の請求項６に係る釣銭機は、上述した請求項３又は請求項４において、前記制御手段は、前記出金異常状態又は前記出金拒否状態が解消した旨の指令が与えられた場合に、前記出金異常状態又は前記出金拒否状態が発生した際の履歴情報が選択されて再出金指令が与えられたものとして貨幣を機外に払い出させることを特徴とする。
【００１７】
また、本発明の請求項７に係る釣銭機は、上述した請求項１〜５のいずれか１つにおいて、前記制御手段は、上位機器から再出金指令が与えられたときに貨幣を機外に払い出させることを特徴とする。
【００１８】
また、本発明の請求項８に係る釣銭機は、上述した請求項１〜５のいずれか１つにおいて、前記制御手段は、予め設定された条件を具備する場合に、前記再出金指令を有効なものと判断することを特徴とする。
【発明の効果】
【００１９】
本発明によれば、制御手段が、履歴表示指令が与えられた場合に、記憶手段に記憶されるログ情報を表示部に表示させ、かつ表示部に表示させたログ情報のうち選択された履歴情報について再出金指令が与えられたときに、該履歴情報の出金額の全部、あるいは一部に相当する貨幣を収納庫から機外に払い出させるので、直前の取引だけに限られず複数取引前に対しても再出金処理を行うことが可能となり、再出金処理を柔軟に行うことができるという効果を奏する。
【図面の簡単な説明】
【００２０】
【図１】図１は、本発明の実施の形態である釣銭機を示すもので、（ａ）は平面図、（ｂ）は正面図である。
【図２】図２は、本発明の実施の形態である釣銭機の特徴的な制御系を示すブロック図である。
【図３】図３は、図１に示した表示手段及び入力手段を拡大して示す拡大平面図である。
【図４】図４は、入出金に関する履歴情報の集合体であるログ情報を示す説明図である。
【図５】図５は、釣銭機がレジスタ装置とともにセルフレジスタシステムとして店舗等に適用されて行う入出金処理の処理内容を示すフローチャートである。
【図６】図６は、釣銭機の制御部が行う任意再出金処理の処理内容を示すフローチャートである。
【図７】図７は、表示手段（ＬＣＤ表示器）での表示例を示す説明図である。
【図８】図８は、表示手段（ＬＣＤ表示器）での表示例を示す説明図である。
【図９】図９は、表示手段（ＬＣＤ表示器）での表示例を示す説明図である。
【図１０】図１０は、入出金に関する履歴情報の集合体であるログ情報を示す説明図である。
【図１１】図１１は、表示手段（ＬＣＤ表示器）での表示例を示す説明図である。
【図１２】図１２は、釣銭機の制御部が行うエラー再出金処理の処理内容を示すフローチャートである。
【図１３】図１３は、釣銭機の制御部が行うエラー再出金処理の他の例の処理内容を示すフローチャートである。
【図１４】図１４は、表示手段（ＬＣＤ表示器）での表示例を示す説明図である。
【発明を実施するための形態】
【００２１】
以下に添付図面を参照して、本発明に係る釣銭機の好適な実施の形態について詳細に説明する。
【００２２】
図１及び図２は、それぞれ本発明の実施の形態である釣銭機を示すもので、図１の（ａ）は平面図、図１の（ｂ）は正面図、図２は特徴的な制御系を示すブロック図である。
【００２３】
ここで例示する釣銭機１０は、上位機器であるレジスタ装置５０に接続されており、貨幣の入出金を行うためのものである。この釣銭機１０は、直方体状を成す装置筐体１１の前端部に硬貨投入口１２、硬貨出金口１３、硬貨返却口１４、紙幣投入口１５、紙幣出金口１６が設けられており、出金検出センサ１２ｂ，１５ｂを備えている。尚、レジスタ装置５０は、公知のものであるからその具体的な構成等の説明については割愛する。
【００２４】
硬貨投入口１２は、投入された硬貨を装置筐体１１の内部に受け入れるための開口であり、装置筐体１１の上面に形成されている。硬貨投入口１２に投入された硬貨は、投入検出センサ１２ａによって検出された後、硬貨収納部１２０の硬貨搬送機構１２１によって装置筐体１１の内部に取り込まれる。装置筐体１１に取り込まれた硬貨は、硬貨識別センサ１２２によって識別された後、予め収納可能に設定された金種については硬貨搬送機構１２１の駆動によって図示せぬ一時保留庫に一旦収容され、更にその後、硬貨搬送機構１２１の駆動によって金種に応じた図示せぬ硬貨収納庫に収納されることになる。
【００２５】
硬貨出金口１３は、それぞれの硬貨収納庫から搬出された硬貨を装置筐体１１の外部に払い出すための開口であり、装置筐体１１の前面に形成されている。硬貨識別センサ１２２において正規の硬貨でないと判断されたリジェクト硬貨、更には予め収納不可と設定された金種の硬貨についても、硬貨出金口１３を介して払い出されることになる。
【００２６】
硬貨返却口１４は、硬貨が一時保留庫に保留されている状態において返却指令が与えられた場合に硬貨を払い出すためのものである。
【００２７】
紙幣投入口１５は、投入された紙幣を装置筐体１１の内部に受け入れるための開口であり、装置筐体１１の前面上部に設けられている。紙幣投入口１５に投入された紙幣は、投入検出センサ１５ａによって検出された後、紙幣収納部１３０の紙幣搬送機構１３１によって搬送される。搬送された紙幣は、紙幣識別センサ１３２によって識別された後、予め収納可能に設定された金種については図示せぬ紙幣保留庫を経由して金種に応じた紙幣収納庫（図示せず）に収納されることになる。紙幣搬送機構１３１によって搬送される以前の紙幣は、紙幣投入口１５に投入した場合にも、その一部が外部に露出された状態となる。
【００２８】
紙幣出金口１６は、紙幣収納庫から搬出された紙幣を装置筐体１１の外部に払い出すための開口であり、装置筐体１１の前面下部に設けられている。紙幣識別センサ１３２において正規の紙幣でないと判断されたリジェクト紙幣、更には予め収納不可と設定された金種の紙幣についても、紙幣出金口１６に払い出されることになる。紙幣出金口１６に払い出された紙幣は、その一部が外部に露出した状態となり、露出した部分を把持すれば、装置筐体１１の外部に引き出すことが可能である。
【００２９】
出金検出センサ１２ｂは、硬貨出金口１３における硬貨の存否を検出するものであり、硬貨収納庫から払い出された貨幣の額を検出する出金検出手段を構成するものである。
【００３０】
出金検出センサ１５ｂは、紙幣出金口１６における紙幣の存否を検出するものであり、紙幣収納庫から払い出された貨幣の額を検出する出金検出手段を構成するものである。
【００３１】
また、装置筐体１１の前方部には、表示手段２０及び入力手段３０が設けられている。表示手段２０は、操作者に対して各種表示を行うためのものである。入力手段３０は、操作者が各種指令を入力するためのもので、例えば複数の押ボタンスイッチによって構成されている。
【００３２】
図３は、図１に示した表示手段及び入力手段を拡大して示す拡大平面図である。この図３に示すように、表示手段２０は、ＬＥＤ表示器２１とＬＣＤ表示器２２とを備えている。
【００３３】
ＬＥＤ表示器２１は、９桁の数字表示分だけ設けられていて、各桁で金種毎の貨幣が「満杯」、「適量」、「空」等のようにその収納状況を表示するものである。ＬＣＤ表示器２２は、入出金に関する履歴情報の集合体であるログ情報及びその他の必要な情報を表示するためのものである。
【００３４】
また、図３に示すように、入力手段３０は、３行×４列の計１２個の操作ボタン群により構成されている。操作ボタン群の第１列には、それぞれ紙幣ボタン、ヘルプボタン、在高ボタンとして、「７」、「８」、「９」の置数ボタンを兼ねる３つの機能ボタン３１，３２，３３が配置されている。操作ボタン群の第２列には、それぞれ硬貨ボタン、回収ボタン、補充ボタンとして、「４」、「５」、「６」の置数ボタンを兼ねる３つの機能ボタン３４，３５，３６が配置されている。操作ボタン群の第３列には、それぞれスクロールボタン（逆歴ボタン）、履歴ボタン、設定ボタンとして、「１」、「２」、「３」の置数ボタンを兼ねる３つの機能ボタン３７，３８，３９が配置されている。操作ボタン群の第４列には、「０」の置数を兼ねるスクロールボタン（順歴ボタン）４０、取消復旧ボタン４１、実行ボタン４２の３つの機能ボタンが配置されている。
【００３５】
尚、図１の（ｂ）中の符号４５は、ユニット鍵である。このユニット鍵４５は、所定の位置に回動させられることで動作モードを切り換えるものである。
【００３６】
釣銭機１０の制御部（制御手段）１００は、入力手段３０を通じて指令が与えられた場合、あるいは投入検出センサ１２ａ，１５ａ、硬貨識別センサ１２２、紙幣識別センサ１３２から検出信号が与えられた場合、更には上位機器であるレジスタ装置５０のレジスタ制御部５１から各種指令が与えられた場合、メモリ１０２に格納したプログラムや初期データに基づいて表示手段２０の表示制御、硬貨搬送機構１２１の駆動制御、紙幣搬送機構１３１の駆動制御を行うものである。釣銭機１０の制御部１００は、通信制御部１１０、入力制御部１１１、出力制御部１１２、搬送制御部１１３、入金許可金種設定部１１４、入出金処理部１１５、金種情報出力部１１６を有している。
【００３７】
通信制御部１１０は、通信インターフェース１０１を介して接続されたレジスタ装置５０からの要求に従って接続確立処理を行うことにより、レジスタ装置５０との間において入出金処理に関わる情報の送受信制御を行うものである。
【００３８】
入力制御部１１１は、入力手段３０が操作された場合、更にはレジスタ装置５０から入金動作許可指令及び入金動作禁止指令が与えられた場合、これらに対応する指令を各部に与えるものである。
【００３９】
出力制御部１１２は、表示指令を与えることによって表示手段２０に所望の表示を行う等、表示手段２０に対する表示制御を行うものである。
【００４０】
搬送制御部１１３は、搬送指令が与えられた場合に、この搬送指令に従って硬貨搬送機構１２１の駆動及び紙幣搬送機構１３１の駆動を制御するものである。
【００４１】
入金許可金種設定部１１４は、入力手段３０を通じて硬貨収納庫や紙幣収納庫への収納を許可する金種が設定された場合に該当する金種を許可金種情報としてメモリ１０２に格納するものである。
【００４２】
入出金処理部１１５は、許可金種情報を参照し、この参照結果に応じて搬送制御部１１３に搬送指令を与えるものである。すなわち、硬貨識別センサ１２２及び紙幣識別センサ１３２で識別された貨幣が予め収納可能であると設定された金種である場合には搬送制御部１１３を通じて当該貨幣を金種毎に設けられた硬貨収納庫や紙幣収納庫に収納する一方、硬貨識別センサ１２２及び紙幣識別センサ１３２で識別された貨幣が予め収納可能と設定されていない金種である場合には当該貨幣を硬貨出金口１３及び紙幣出金口１６から装置筐体１１の外部に払い出す処理を行う。
【００４３】
また、入出金処理部１１５は、レジスタ装置５０から出金指令が与えられた場合、出金指令に従って搬送制御部１１３に搬送指令を出力し、硬貨収納庫や紙幣収納庫に収納された貨幣を硬貨出金口１３及び紙幣出金口１６から装置筐体１１の外部に払い出す出金動作を行う。但し、出金指令で指示された差額＝０の場合には、上述の出金動作は省略される。
【００４４】
更に、入出金処理部１１５は、硬貨収納庫や紙幣収納庫に貨幣を収納する場合には、履歴情報としての入金情報をメモリ１０２に記憶させる一方、出金動作を行う場合には、履歴情報としての出金情報をメモリ１０２に記憶させる。この履歴情報としての出金情報は、出金指令で指示された差額であり、実際に機外に払い出された払出金額ではない。
【００４５】
図４は、入出金に関する履歴情報の集合体であるログ情報を示すものである。図４中のイ〜ハは、年月日情報を示しており、イが西暦の下２桁を表示することで年情報を示し、ロが月情報を示し、ハが日情報を示している。図４中のニ〜ヘは時間情報を示しており、ニが時情報を示し、ホが分情報を示し、ヘが秒情報を示している。図４中のトは、動作コードを示しており、「４」が入金動作であることを示し、「７」が出金動作であることを示している。図４中のチは、金額情報を示している。
【００４６】
金種情報出力部１１６は、出力指令が与えられた場合に硬貨識別センサ１２２及び紙幣識別センサ１３２を通過した貨幣の金種情報をレジスタ装置５０に出力するものである。
【００４７】
図５は、上述した釣銭機がレジスタ装置とともにセルフレジスタシステムとして店舗等に適用されて行う入出金処理の処理内容を示すフローチャートである。以下、このフローチャートを参照しながら釣銭機１０の動作について説明する。
【００４８】
図５に示す入出金処理の前提として、買い物客がレジスタ装置５０においてバーコードリーダを通じて商品の登録処理を行うと、レジスタ装置５０のレジスタ制御部５１は、当該商品の代金情報を抽出し、これを商品代金として算出し、更に商品代金を表示器に表示する処理を行う。購入した商品が複数の場合には、バーコードリーダでバーコードを読み取るたびに抽出された商品の代金が加算され、その加算結果が表示器に都度表示されることになる。購入したすべての商品の登録処理が終了し、買い物客がレジスタ装置５０の小計ボタンを押圧操作すると、レジスタ制御部５１は、釣銭機１０に入金動作許可指令を出力する処理を行う。
【００４９】
レジスタ装置５０から入金動作許可指令を受信すると（ステップＳ１０１：Ｙｅｓ）、釣銭機１０の制御部１００は、入出金処理部１１５を通じてメモリ１０２に格納された許可金種情報を読み出し、設定された許可金種の設定を行う（ステップＳ１０２）。ここでは入金許可金種設定部１１４を通じて予めすべての金種が許可金種として設定されているものとする。
【００５０】
許可金種の設定を行った釣銭機１０では、投入検出センサ１２ａ，１５ａを通じて貨幣の投入を検出すると（ステップＳ１０３：Ｙｅｓ）、入金動作が開始され（ステップＳ１０４）、貨幣の投入なしを検出するまでの間、硬貨搬送機構１２１及び紙幣搬送機構１３１が駆動して貨幣投入口１２，１５に投入された貨幣が硬貨搬送機構１２１及び紙幣識別センサ１３２において許可金種であるか否かが識別される（ステップＳ１０５〜ステップＳ１０９）。つまり、すべての貨幣について正規であるか否かが識別される。正規であると識別された貨幣は、金種別に硬貨収納庫や紙幣収納庫に収納され（ステップＳ１０５：Ｙｅｓ→ステップＳ１０６）、正規でないと識別された貨幣は、硬貨出金口１３及び紙幣出金口１６に払い出される（ステップＳ１０５：Ｎｏ→ステップＳ１０７）。この間、釣銭機１０の制御部１００は、金種情報出力部１１６に出力指令を与えることにより硬貨収納庫や紙幣収納庫に収納された貨幣の金種情報をレジスタ装置５０に出力する処理を行う（ステップＳ１０８）。投入検出センサ１２ａ，１５ａが貨幣の投入なしを検出した場合（ステップＳ１０９：Ｙｅｓ）、つまり、貨幣投入口１２，１５から投入されたすべての貨幣の識別が終了した場合、釣銭機１０の制御部１００は、入出金処理部１１５を通じてメモリ１０２に入金情報を記憶させて入金動作を終了し（ステップＳ１１０）、レジスタ装置５０からの入金動作禁止指令の受信待機状態となる（ステップＳ１１１）。尚、貨幣の金種情報をレジスタ装置５０へ出力するタイミングは、必ずしも上記に限らない。
【００５１】
このようにして釣銭機１０から金種情報を受信したレジスタ装置５０のレジスタ制御部５１は、入金合計金額を算出した後に、入金合計金額を表示器に表示する。
【００５２】
釣銭機１０に投入された貨幣の合計金額と、表示器に表示された入金合計金額とが一致する等してレジスタ装置５０の合計ボタンが押圧操作されると、レジスタ制御部５１は、小計ボタンの操作信号が与えられた時点での算出した商品代金と、合計ボタンの操作信号が与えられた時点での入金合計金額とを比較し、入金合計金額が商品代金以上であるか否かを判断する。入金合計金額が商品代金に満たない場合、レジスタ制御部５１は、再び釣銭機１０からの金種情報の受信待機状態となる。従って、釣銭機１０に不足分の貨幣を投入すれば、投入した貨幣の金額が入金合計金額に加算されることになる。
【００５３】
一方、入金合計金額が商品代金以上である場合、レジスタ制御部５１は、更に入金合計金額が商品代金を超えているか否かを判断する。入金合計金額が商品代金を超えている場合、レジスタ制御部５１は、釣銭機１０に入金動作禁止指令を出力し、その後に入金合計金額と商品代金の差額を算出し、更に釣銭機１０に対して差額に応じた出金指令（差額≠０）を出力する。
【００５４】
これに対して、入金合計金額が商品代金と等しい場合、レジスタ制御部５１は、釣銭機１０に入金動作禁止指令を出力し、その後、釣銭機１０に対して出金指令（差額＝０）を出力する（又は出金指令をスキップする）。
【００５５】
上記ステップＳ１１１においてレジスタ装置５０から入金動作禁止指令を受信した釣銭機１０の制御部１００は、次いでレジスタ装置５０から出金指令の受信待機状態となる（ステップＳ１１２）。レジスタ装置５０から出金指令（差額≠０）を受信した場合（ステップＳ１１２：Ｙｅｓ）、釣銭機１０の制御部１００は、入出金処理部１１５を通じて硬貨収納庫や紙幣収納庫に収納されている貨幣を硬貨出金口１３及び紙幣出金口１６から装置筐体１１の外部に払い出す出金動作を行うとともに、出金指令における差額を出金情報としてメモリ１０２に記憶させる（ステップＳ１１３）。
【００５６】
この出金動作において出金異常等が生じていない場合（ステップＳ１１４：Ｙｅｓ）、釣銭機１０の制御部１００は、出金動作が正常に行われたものと判断して（ステップＳ１１５）、その後に今回の入出金処理を終了すべく手順をリターンさせる。
【００５７】
これに対して出金動作において出金異常等が生じた場合（ステップＳ１１４：Ｎｏ）
、すなわち硬貨収納庫や紙幣収納庫から所定の貨幣を払い出す際に搬送制御部１１３の指令により駆動する負荷（硬貨搬送機構１２１、紙幣搬送機構１３１等）が不具合により駆動しないために所望の貨幣が払い出せない出金異常状態が発生した場合や、出金検出センサ１２ｂ，１５ｂを介して硬貨出金口１３及び紙幣出金口１６が空になっていないものと判断されることにより、貨幣の払い出しが拒否される出金拒否状態が発生した場合に、釣銭機１０の制御部１００は、入出金処理部１１５を通じて、出金異常状態や出金拒否状態の中で機外に払い出された金額を払出金情報としてメモリ１０２に記憶させる（ステップＳ１１６）。ここで出金異常状態や出金拒否状態の中で出金された払出金情報としては、紙幣の払い出しで出金異常状態等が生じている場合には、硬貨の出金情報を払出金情報としてメモリ１０２に記憶させ、また硬貨の払い出しで出金異常状態等が生じている場合には、紙幣の出金情報を払出金情報としてメモリ１０２に記憶させる。
【００５８】
そして、釣銭機１０の制御部１００は、出力制御部１１２を通じて表示手段２０（ＬＣＤ表示器２２）にエラー表示を出力して、その後、今回の入出金処理を終了すべく手順をリターンする。
【００５９】
ところで、上述したステップＳ１１２においてレジスタ装置５０から出金指令（差額＝０）を受信した場合（ステップＳ１１２：Ｎｏ）、釣銭機１０の制御部１００は、ステップＳ１１３以降の処理を実施することなく手順をリターンさせて今回の入出金処理を終了する。
【００６０】
図６は、釣銭機の制御部が行う任意再出金処理の処理内容を示すフローチャートである。かかるフローチャートを参照しながら釣銭機１０の動作について説明する。
【００６１】
図６に示す任意再出金処理において釣銭機１０の制御部１００は、入力手段３０の履歴ボタン３８が押下操作され、かつ回収ボタン３５が押下操作された場合（ステップＳ２０１：Ｙｅｓ，ステップＳ２０２：Ｙｅｓ）、再出金処理が有効なものとして、出力制御部１１２を通じてメモリ１０２に記憶されるログ情報より直近の出金情報（履歴情報）を読み出し、図７に示すように該出金情報を表示手段２０（ＬＣＤ表示器２２）に表示させる（ステップＳ２０３）。
【００６２】
このように表示手段２０に出金情報を表示させた釣銭機１０の制御部１００は、スクロールボタン（逆歴ボタン）３７が押下操作されることにより、出力制御部１１２を通じてログ情報より現在表示させている履歴情報よりも１つ前の出金情報を読み出して表示手段２０に表示させ（図８参照）、あるいはスクロールボタン（順歴ボタン）４０が押下操作されることにより、出力制御部１１２を通じてログ情報より現在表示させている履歴情報よりも１つ後の出金情報を読み出して表示手段２０に表示させる。そして、釣銭機１０の制御部１００は、出力制御部１１２を通じて表示手段２０に表示させている出金情報が現在選択中の履歴情報であると判断する。
【００６３】
いずれかの出金情報を表示手段２０に表示させた状態で紙幣ボタン３１が押下操作された場合（ステップＳ２０４：Ｙｅｓ，ステップＳ２０５：Ｙｅｓ）、釣銭機１０の制御部１００は、出力制御部１１２を通じて、図９に示すように、選択された出金情報と、この出金情報において紙幣で支払われる出金情報とを交互表示させる（ステップＳ２０６）。
【００６４】
そして、交互表示させた状態で実行ボタン４２が押下操作された場合（ステップＳ２０７：Ｙｅｓ）、釣銭機１０の制御部１００は、再出金指令が与えられたものとして、入出金処理部１１５を通じて紙幣収納庫に収納されている紙幣を紙幣出金口１６から装置筐体１１の外部に払い出す再出金動作を行う（ステップＳ２０８）。
【００６５】
このようにして再出金動作を行った制御部１００は、入出金処理部１１５を通じてメモリ１０２に再出金動作にかかる出金情報（再出金情報）を履歴情報としてメモリ１０２に記憶させる（ステップＳ２０９）。つまり、制御部１００は、図１０に示すように、再出金情報には動作コードを「１７」を付し、元の出金情報には動作コードを「１８」を付してこれらを隣接させることで、再出金情報と元の出金情報とを関連付けてログ情報としてメモリ１０２に記憶させる（図１０の「リ」参照）。かかる処理を行った後、制御部１００は、今回の入出金処理を終了すべく手順をリターンさせる。
【００６６】
一方、いずれかの出金情報を表示手段２０に表示させた状態で硬貨ボタン３４が押下操作された場合（ステップＳ２０４：Ｙｅｓ，ステップＳ２０５：Ｎｏ，ステップＳ２１０：Ｙｅｓ）、釣銭機１０の制御部１００は、出力制御部１１２を通じて、図１１に示すように、選択された出金情報と、この出金情報において硬貨で支払われる出金情報とを交互表示させる（ステップＳ２１１）。
【００６７】
そして、交互表示させた状態で実行ボタン４２が押下操作された場合（ステップＳ２１２：Ｙｅｓ）、釣銭機１０の制御部１００は、再出金指令が与えられたものとして、入出金処理部１１５を通じて硬貨収納庫に収納されている硬貨を硬貨出金口１３から装置筐体１１の外部に払い出す再出金動作を行う（ステップＳ２１３）。
【００６８】
このようにして再出金動作を行った制御部１００は、入出金処理部１１５を通じてメモリ１０２に再出金動作にかかる出金情報（再出金情報）を元の出金情報と関連付けてログ情報としてメモリ１０２に記憶させ（ステップＳ２１４）、今回の入出金処理を終了すべく手順をリターンさせる。
【００６９】
本発明の実施の形態である釣銭機１０によれば、制御部１００が、任意に選択された履歴情報（出金情報）について実行ボタン４２が押下操作されることで再出金指令が与えられた場合に該出金情報における出金額の全部、あるいは一部を機外に払い出させるので、直前の取引だけに限られず複数取引前に対しても再出金処理を行うことが可能となり、再出金処理を柔軟に行うことができる。
【００７０】
また、上記釣銭機１０によれば、制御部１００が、任意に選択された元の出金情報（履歴情報）と、再出金により生じた履歴情報（再出金情報）とを関連付けてログ情報としてメモリ１０２に記憶させるので、再出金情報がどの出金情報に対する再出金であるかを明確にすることができ、違算の防止を図ることができる。
【００７１】
図１２は、釣銭機の制御部が行うエラー再出金処理の処理内容を示すフローチャートである。かかるフローチャートを参照しながら釣銭機１０の動作について説明する。
【００７２】
図１２に示すエラー再出金処理は、例えば図５に示した入出金処理においてエラー表示（ステップＳ１１７）が行われ、その後に不具合を解消する作業が行われることにより実施されるものである。
【００７３】
釣銭機１０の制御部１００は、入力手段３０の取消復旧ボタン４１が押下操作されるとともに、履歴ボタン３８が押下操作され、かつ回収ボタン３５が押下操作された場合（ステップＳ２２１：Ｙｅｓ，ステップＳ２２２：Ｙｅｓ，ステップＳ２２３：Ｙｅｓ）、再出金処理が有効なものとして、出力制御部１１２を通じてメモリ１０２に記憶されるログ情報より直近の出金情報（履歴情報）を読み出し、該出金情報を表示手段２０（ＬＣＤ表示器２２）に表示させる（ステップＳ２２４）。
【００７４】
このように表示手段２０に出金情報を表示させた釣銭機１０の制御部１００は、スクロールボタン（逆歴ボタン）３７が押下操作されることにより、出力制御部１１２を通じてログ情報より現在表示させている履歴情報よりも１つ前の出金情報を読み出して表示手段２０に表示させ、あるいはスクロールボタン（順歴ボタン）４０が押下操作されることにより、出力制御部１１２を通じてログ情報より現在表示させている履歴情報よりも１つ後の出金情報を読み出して表示手段２０に表示させる。そして、釣銭機１０の制御部１００は、出力制御部１１２を通じて表示手段２０に表示させている出金情報が現在選択中の履歴情報であると判断する。
【００７５】
いずれかの出金情報を表示手段２０に表示させた状態で紙幣ボタン３１が押下操作された場合（ステップＳ２２５：Ｙｅｓ，ステップＳ２２６：Ｙｅｓ）、釣銭機１０の制御部１００は、出力制御部１１２を通じて、選択された出金情報と、この出金情報において紙幣で支払われる出金情報とを交互表示させる（ステップＳ２２７）。
【００７６】
そして、交互表示させた状態で実行ボタン４２が押下操作された場合（ステップＳ２２８：Ｙｅｓ）、釣銭機１０の制御部１００は、再出金指令が与えられたものとして、入出金処理部１１５を通じて紙幣収納庫に収納されている紙幣を紙幣出金口１６から装置筐体１１の外部に払い出す再出金動作を行う（ステップＳ２２９）。
【００７７】
このようにして再出金動作を行った制御部１００は、入出金処理部１１５を通じてメモリ１０２に再出金動作にかかる出金情報（再出金情報）を元の出金情報と関連付けてログ情報としてメモリ１０２に記憶させる（ステップＳ２３０）。かかる処理を行った後、制御部１００は、今回の入出金処理を終了すべく手順をリターンさせる。
【００７８】
一方、いずれかの出金情報を表示手段２０に表示させた状態で硬貨ボタン３４が押下操作された場合（ステップＳ２２５：Ｙｅｓ，ステップＳ２２６：Ｎｏ，ステップＳ２３１：Ｙｅｓ）、釣銭機１０の制御部１００は、出力制御部１１２を通じて、選択された出金情報と、この出金情報において硬貨で支払われる出金情報とを交互表示させる（ステップＳ２３２）。
【００７９】
そして、交互表示させた状態で実行ボタン４２が押下操作された場合（ステップＳ２３３：Ｙｅｓ）、釣銭機１０の制御部１００は、再出金指令が与えられたものとして、入出金処理部１１５を通じて硬貨収納庫に収納されている硬貨を硬貨出金口１３から装置筐体１１の外部に払い出す再出金動作を行う（ステップＳ２３４）。
【００８０】
このようにして再出金動作を行った制御部１００は、入出金処理部１１５を通じてメモリ１０２に再出金動作にかかる出金情報（再出金情報）を元の出金情報と関連付けてログ情報としてメモリ１０２に記憶させ（ステップＳ２３５）、今回の入出金処理を終了すべく手順をリターンさせる。
【００８１】
本発明の実施の形態である釣銭機１０によれば、紙幣若しくは硬貨が機外に払い出されない出金異常状態又は紙幣若しくは硬貨が機外に払い出されることが拒否される出金拒否状態等が発生した場合においても、制御部１００が、取消復旧ボタン４１が押下操作されることで出金異常状態又は出金拒否状態が解消した旨の指令が与えられ、かつ出金異常状態又は出金拒否状態が発生した際の履歴情報が任意に選択されて実行ボタン４２が押下操作されることで再出金指令が与えられたときに、出金異常状態又は出金拒否状態となった貨幣を機外に払い出させるので、紙幣若しくは硬貨の払い出しのうち不具合の発生したものについてだけ再出金処理を行わせることができる。従って、対象となる出金情報において既に出金済の貨幣については再度出金することがなく、貨幣を余分に再出金してその後の収納操作を煩雑なものとする虞れがない。
【００８２】
図１３は、釣銭機の制御部が行うエラー再出金処理の他の例の処理内容を示すフローチャートである。かかるフローチャートを参照しながら釣銭機１０の動作について説明する。
【００８３】
図１３に示すエラー再出金処理の他の例では、上述したエラー再処理出金処理と同様に、例えば図５に示した入出金処理においてエラー表示（ステップＳ１１７）が行われ、その後に不具合を解消する作業が行われることにより実施されるものである。
【００８４】
釣銭機１０の制御部１００は、入力手段３０の取消復旧ボタン４１が押下操作されるとともに、履歴ボタン３８が押下操作され、かつ回収ボタン３５が押下操作された場合（ステップＳ３０１：Ｙｅｓ，ステップＳ３０２：Ｙｅｓ，ステップＳ３０３：Ｙｅｓ）、再出金処理が有効なものとして、出力制御部１１２を通じてメモリ１０２に記憶されるログ情報より不具合（出金異常状態又は出金拒否状態）が生じたときの出金情報（履歴情報）と払出金情報とを読み出し、図１４に示すように、出金情報と、この出金情報における出金額から払出金情報の払出金額を減算した額の出金情報とを表示手段２０（ＬＣＤ表示器２２）に交互表示させる（ステップＳ３０４）。
【００８５】
かかる出金情報を表示させた状態で実行ボタン４２が押下操作された場合（ステップＳ３０５：Ｙｅｓ）、釣銭機１０の制御部１００は、再出金指令が与えられたものとして、入出金処理部１１５を通じて収納庫に収納されている貨幣を硬貨出金口１３若しくは紙幣出金口１６から装置筐体１１の外部に払い出させる再出金動作を行う（ステップＳ３０６）。
【００８６】
かかる再出金動作においては、釣銭機１０の制御部１００は、図５に示した入出金処理におけるステップＳ１１３で記憶させた出金情報（履歴情報）における出金額から払出金情報の払出金額を減算した額の貨幣を機外に払い出させる。
【００８７】
そして、ステップＳ３０６の再出金動作を実施した釣銭機１０の制御部１００は、入出金処理部１１５を通じてメモリ１０２に再出金動作にかかる出金情報（再出金情報）を元の出金情報と関連付けてログ情報としてメモリ１０２に記憶させる（ステップＳ３０７）。かかる処理を行った後、制御部１００は、今回の入出金処理を終了すべく手順をリターンさせる。
【００８８】
本発明の実施の形態である釣銭機１０によれば、所定の貨幣が機外に払い出されない出金異常状態又は所定の貨幣が機外に払い出されることが拒否される出金拒否状態が発生した場合においても、制御部１００が、取消復旧ボタン４１が押下操作されることで出金異常状態又は出金拒否状態が解消した旨の指令が与えられ、かつ出金異常状態又は出金拒否状態が発生した際の出金情報（履歴情報）に対して実行ボタン４２が押下操作されることで再出金指令が与えられたときに、該出金情報の出金額から機外に払い出されたと検出された貨幣の額（払出金情報の払出金額）を減算した額の貨幣を機外に払い出させるので、対象となる出金情報において既に出金済の貨幣については再度出金することがなく、貨幣を余分に再出金してその後の収納操作を煩雑なものとする虞れがない。
【００８９】
以上、本発明の好適な実施の形態について説明したが、本発明はこれに限定されるものではなく、種々の変更を行うことができる。
【００９０】
上述した実施の形態では、図１２に示すように、取消復旧ボタン４１が押下操作されることで出金異常状態又は出金拒否状態が解消した旨の指令が与えられ、かつ出金異常状態又は出金拒否状態が発生した際の履歴情報が任意に選択されて実行ボタン４２が押下操作されることで再出金指令が与えられたときに再出金動作、あるいは図１３に示すように取消復旧ボタン４１が押下操作されることで出金異常状態又は出金拒否状態が解消した旨の指令が与えられ、かつ出金異常状態又は出金拒否状態が発生した際の出金情報（履歴情報）に対して実行ボタン４２が押下操作されることで再出金指令が与えられたときに再出金動作を行うようにしていたが、本発明においては、出金異常状態又は出金拒否状態が解消した旨の指令が与えられた場合に、出金異常状態又は出金拒否状態が発生した際の履歴情報が選択されて再出金指令が与えられたものとして貨幣を機外に払い出させる再出金動作を行うようにしても良い。これによれば、作業者は例えば取消復旧ボタン４１を押下操作するだけで再出金動作を行わせることが可能になり、再出金動作の操作を簡易なものとすることができる。
【００９１】
上述した実施の形態では、再出金処理において、実行ボタン４２が押下操作されることで再出金指令が与えられたものとして再出金動作を行うようにしていたが、本発明においては、釣銭機１０は、上位機器であるレジスタ装置５０から再出金指令が与えられることで所定の貨幣を機外に払い出させる再出金動作を行うようにしても良い。
【００９２】
上述した実施の形態では、履歴ボタン３８が押下操作され、かつ回収ボタン３５が押下操作された場合に、再出金処理が有効なものとされていたが、本発明においては、例えば作業者がユニット鍵４５を回動させて管理モードに設定することにより再出金処理を有効なものとしても良いし、予め設定されたＩＤコードが入力されることにより再出金処理を有効なものとしても良い。
【００９３】
上述した実施の形態では、レジスタ装置５０のレジスタ制御部５１は、入金合計金額が商品代金を超えている場合、入金合計金額と商品代金の差額を算出して釣銭機１０に対して差額に応じた出金指令（差額≠０）を出力していたが、本発明においては、上位機器から与えられる出金指令（差額≠０）は、金額のみならず、各金種の枚数であっても良い。
【符号の説明】
【００９４】
１０  釣銭機
１１  装置筐体
１２  硬貨投入口
１２ａ  投入検出センサ
１２ｂ  出金検出センサ
１３  硬貨出金口
１４  硬貨返却口
１５  紙幣投入口
１５ａ  投入検出センサ
１５ｂ  出金検出センサ
１６  紙幣出金口
２０  表示手段
２１  ＬＥＤ表示器
２２  ＬＣＤ表示器
３０  入力手段
５０  レジスタ装置
５１  レジスタ制御部
１００  制御部（制御手段）
１０２  メモリ
１１０  通信制御部
１１１  入力制御部
１１２  出力制御部
１１３  搬送制御部
１１４  入金許可金種設定部
１１５  入出金処理部
１１６  金種情報出力部
１２０  硬貨収納部
１２１  硬貨搬送機構
１２２  硬貨識別センサ
１３０  紙幣収納部
１３１  紙幣搬送機構
１３２  紙幣識別センサ
【図１】
2014178728.tif 000003
【図２】
2014178728.tif 000004
【図３】
2014178728.tif 000005
【図４】
2014178728.tif 000006
【図５】
2014178728.tif 000007
【図６】
2014178728.tif 000008
【図７】
2014178728.tif 000009
【図８】
2014178728.tif 000010
【図９】
2014178728.tif 000011
【図１０】
2014178728.tif 000012
【図１１】
2014178728.tif 000013
【図１２】
2014178728.tif 000014
【図１３】
2014178728.tif 000015
【図１４】
2014178728.tif 000016